(57)【要約】      （修正有）【課題】手間をかけず場所をとらずにパックの液体洗剤を残らずきれいに容器に詰め替えることが出来る液体洗剤詰め替え器具を提供する。【解決手段】磁石付クリップＡと他のクリップＢを自由自在に変え、保持できる柔らかバンド３でつないだ器具を、洗濯機や風呂蓋を利用してクリップを取り付けある程度、自分で詰め替えた後、柔らかバンド３で調整して固定、口をあわせて残りの液体洗剤を移し替える。汲出し用ポンプユニット付容器の場合はクリップＢで上部を持ち上げ固定することで、ポンプユニットに付いた洗剤で床を汚すことなく詰め替えることができる。【選択図】図１
0003194896.tif 000002
【実用新案登録請求の範囲】
【請求項１】
磁石付クリップと、他のクリップを、自由自在に形を変えられることが出来るとともにその形状を保持することが出来る柔らかバンドでつないだことを特徴とする液体洗剤詰め替え器具。
【考案の詳細な説明】
【技術分野】
【０００１】  本考案は詰め替え用のパックに入った液体洗剤を容器に詰め替える器具に関するものである。
【背景技術】
【０００２】  とろみのある詰め替え液体洗剤は、そのすべてを容器に、移し替えることは、手間がかかり洗剤をきれいに移し替えることなくパックを捨てていた。【０００３】  例えば特許文献１には、つりひもを設けた器具が提案されている。
【先行技術文献】
【特許文献】
【０００４】
【特許文献１】特開２０１１−２０７３４
【考案が解決しようとする課題】
【０００５】  しかしながら先の特許文献１では吊るす場所を必要とし使いがってがよくない。
【考案の概要】
【課題を解決するための手段】
【０００６】  本考案は、磁石付クリップとクリップふたつを自由自在に変形させることができその形状を保持することができる、やわらかバンドでつないだものである。【０００７】  液体洗剤の場合は、洗濯機に磁石付クリップを付け、詰め替え洗剤をある程度、自分で詰め替えて軽くなったところでさかさまにして柔らかバンドで位置を固定し残りのクリップで、詰め替えパックをはさんで詰め替え口を容器に差し込み固定する。【０００８】  磁石付クリップは洗濯機の側面に磁力により留めることができ、この器具はどのサイズにも適用可能である。【０００９】  変形可能なやわらかバンドは磁石付クリップを付けた位置からパック及び詰め替え容器までの距離及び角度を自由に変えることが出来る。【００１０】  シャンプー・リンスの場合、クリップで風呂の蓋や蛇口などをはさみ残りのクリップでシャンプーの容器口ネジ山をはずし吸い上げ棒を全部分外すことなく持ち上げ固定することが出来る。【００１１】  シャンプー容器の口部を持ち上げ固定し隙間の出来た部分より詰め替えパック中身を投入する。これにより容器吸い上げ棒に付着した液体を床にたらすことなく詰め替えることが出来、無駄がなくなる。【００１２】  この容器をふたつ使用した場合一つはシャンプー口部を持ち上げ固定、パックを自分で投入した後、残り少なくなったところでもう一つの器具を利用してパックを固定し残すことなく詰め替えることが可能となる。【００１３】  この器具は何種類もの詰め替えパックに対応可能である。
【考案の効果】
【００１４】  支柱・土台・吊り下げ場所の必要がなく、この器具は軽くコンパクトで手のひらサイズである。
【図面の簡単な説明】
【００１５】
【図１】本考案、液体洗剤詰め替え器具の外観図である。
【図２】洗濯機の側面に取り付けたところ。
【図３】風呂蓋にクリップを取り付け容器上部分を持ち上げ、汲出し用ポンプユニットを取り外さずに液体投入口を作ったところ。
【考案を実施するための形態】
【００１６】  本考案の器具は、Ａクリップ片面１に磁石が備え付けられている。
【００１７】  Ａクリップ片面２は柔らかバンドを通す為の穴が幾つかあいています。この穴２ａにより複数のバンドを通し強度を変えることが可能です。バンドを付けることが出来ればこの形状は問いません。
【００１８】  この場合３の柔らかバンドとはスチールエラストマーを２本ねじり防水・耐熱性（７０℃〜８０℃）持たせたものを使用していますが変形自在な弾性体であれば材料は問いません。
【００１９】  クリップＢは大きさや形を変えることで用途の幅を広げることが可能です。
【符号の説明】
【００２０】Ａ、磁石付クリップ
１、片面磁石付クリップ
２、片面バンド通し加工穴有
２ａ、バンド通し加工穴
３、柔らかバンド
Ｂ、クリップ
【図１】
0003194896.tif 000003
【図２】
0003194896.tif 000004
【図３】
0003194896.tif 000005
【手続補正書】
【提出日】平成26年9月22日(2014.9.22)
【手続補正１】
【補正対象書類名】実用新案登録請求の範囲
【補正対象項目名】全文
【補正方法】変更
【補正の内容】
【実用新案登録請求の範囲】
【請求項１】
磁石付クリップと、他のクリップを、変形可能な弾性部材でつないだことを特徴とする液体洗剤詰め替え器具。
【手続補正２】
【補正対象書類名】明細書
【補正対象項目名】全文
【補正方法】変更
【補正の内容】
【考案の詳細な説明】
【技術分野】
【０００１】  本考案は詰め替え用のパックに入った液体洗剤を容器に詰め替える器具に関するものである。
【背景技術】
【０００２】  とろみのある詰め替え液体洗剤は、そのすべてを容器に、移し替えることは、手間がかかり洗剤をきれいに移し替えることなくパックを捨てていた。【０００３】  例えば特許文献１には、つりひもを設けた器具が提案されている。
【先行技術文献】
【特許文献】
【０００４】
【特許文献１】特開２０１１−２０７３４
【考案が解決しようとする課題】
【０００５】  しかしながら先の特許文献１では吊るす場所を必要とし使いがってがよくない。
【考案の概要】
【課題を解決するための手段】
【０００６】  本考案は、磁石付クリップとクリップふたつを変形可能な弾性部材でつないだものである。【０００７】  液体洗剤の場合は、洗濯機に磁石付クリップを付け、詰め替え洗剤をある程度、自分で詰め替えて軽くなったところでさかさまにして変形可能な弾性部材で位置を固定し残りのクリップで、詰め替えパックをはさんで詰め替え口を容器に差し込み固定する。【０００８】  磁石付クリップは洗濯機の側面に磁力により留めることができ、この器具はどのサイズにも適用可能である。【０００９】  変形可能な弾性部材は磁石付クリップを付けた位置からパック及び詰め替え容器までの距離及び角度を自由に変えることが出来る。【００１０】  シャンプー・リンスの場合、クリップで風呂の蓋や蛇口などをはさみ残りのクリップでシャンプーの容器口ネジ山をはずし吸い上げ棒を全部分外すことなく持ち上げ固定することが出来る。【００１１】  シャンプー容器の口部を持ち上げ固定し隙間の出来た部分より詰め替えパック中身を投入する。これにより容器吸い上げ棒に付着した液体を床にたらすことなく詰め替えることが出来、無駄がなくなる。【００１２】  この容器をふたつ使用した場合一つはシャンプー口部を持ち上げ固定、パックを自分で投入した後、残り少なくなったところでもう一つの器具を利用してパックを固定し残すことなく詰め替えることが可能となる。【００１３】  この器具は何種類もの詰め替えパックに対応可能である。
【考案の効果】
【００１４】  支柱・土台・吊り下げ場所の必要がなく、この器具は軽くコンパクトで手のひらサイズである。
【図面の簡単な説明】
【００１５】
【図１】本考案、液体洗剤詰め替え器具の外観図である。
【図２】洗濯機の側面に取り付けたところ。
【図３】風呂蓋にクリップを取り付け容器上部分を持ち上げ、汲出し用ポンプユニットを取り外さずに液体投入口を作ったところ。
【考案を実施するための形態】
【００１６】  本考案の器具は、Ａクリップ片面１に磁石が備え付けられている。
【００１７】  Ａクリップ片面２は弾性部材を通す為の穴が幾つかあいています。この穴２ａにより複数の弾性部材を通し強度を変えることが可能です。弾性部材を付けることが出来ればこの形状は問いません。
【００１８】  この場合３の弾性部材はスチールエラストマーを２本ねじり防水・耐熱性（７０℃〜８０℃）持たせたものを使用していますが変形自在な弾性体であれば材料は問いません。
【００１９】  クリップＢは大きさや形を変えることで用途の幅を広げることが可能です。
【符号の説明】
【００２０】  Ａ、磁石付クリップ
１、片面磁石付クリップ
２、片面バンド通し加工穴有
２ａ、バンド通し加工穴
３、変形可能な弾性部材
Ｂ、クリップ
【手続補正３】
【補正対象書類名】図面
【補正対象項目名】図２
【補正方法】変更
【補正の内容】
【図２】
0003194896.tif 000006